(57)【要約】【課題】最も視聴意欲が高いと思われる視聴者に対して、高品位の立体映像を表示することができる映像処理装置および映像処理方法を提供する。【解決手段】実施形態によれば、映像処理装置は、撮影された映像から視聴者の個人および視聴者の人数を検出する、視聴者検出部と、前記視聴者が複数の場合、現在の時刻および／または視聴中の番組情報を考慮して、前記複数の視聴者の中から特定の個人を選択する、視聴者選択部と、前記選択された個人に応じた映像処理を行う映像処理部と、を備える。【選択図】図２
2013055641.tif 000002
【特許請求の範囲】
【請求項１】
撮影された映像から視聴者の個人および視聴者の人数を検出する、視聴者検出部と、
前記視聴者が複数の場合、現在の時刻および／または視聴中の番組情報を考慮して、前記複数の視聴者の中から特定の個人を選択する、視聴者選択部と、
前記選択された個人に応じた映像処理を行う映像処理部と、を備える映像処理装置。
【請求項２】
前記特定の個人は、前記複数の視聴者の中で最も視聴意欲が高いと思われる視聴者である、請求項１に記載の映像処理装置。
【請求項３】
前記視聴者検出部は、前記撮影された映像から前記視聴者の顔情報を取得し、
前記視聴者選択部は、前記顔情報と、現在の時刻および／または視聴中の番組情報を考慮して、前記複数の視聴者の中から特定の個人を選択する、請求項１または２に記載の映像処理装置。
【請求項４】
時刻および／または番組情報と、選択すべきユーザの属性とを関連付けた視聴者選択用データベース、および、顔写真を属性の一つとして含むユーザ登録情報を保存する、記憶部をさらに備え、
前記視聴者検出部は、前記撮影された映像から前記視聴者の顔情報を取得し、前記顔情報とマッチングする前記顔写真を検索することによって、前記各視聴者の前記ユーザ登録情報を取得し、
前記視聴者選択部は、前記各視聴者の前記ユーザ登録情報のうち、前記属性の内容が、現在の時刻および／または視聴中の番組情報に関連付けられた前記選択すべきユーザの属性の内容と一致する前記ユーザ登録情報を探し、前記一致するユーザ登録情報の視聴者を、前記特定の個人として選択する、請求項１乃至３のいずれかに記載の映像処理装置。
【請求項５】
視聴した日時および／または視聴した番組と、主たる視聴者とを関連付けた視聴履歴情報を作成し、前記視聴履歴情報に基づいて前記視聴者選択用データベースの前記選択すべきユーザの属性を更新する、データベース更新部をさらに備える、請求項４に記載の映像処理装置。
【請求項６】
前記主たる視聴者は、リモコンを操作している視聴者、または、前記複数の視聴者の中で最も視聴意欲が高いと思われる視聴者である、請求項５に記載の映像処理装置。
【請求項７】
撮影された映像から視聴者の個人および視聴者の人数を検出するステップと、
前記視聴者が複数の場合、現在の時刻および／または視聴中の番組情報を考慮して、前記複数の視聴者の中から特定の個人を選択するステップと、
前記選択された個人に応じた映像処理を行うステップと、を備える映像処理方法。
【請求項８】
前記特定の個人は、前記複数の視聴者の中で最も視聴意欲が高いと思われる視聴者である、請求項７に記載の映像処理方法。
【請求項９】
前記視聴者の個人を検出するステップでは、前記撮影された映像から前記視聴者の顔情報を取得し、
前記特定の個人を選択するステップでは、前記顔情報と、現在の時刻および／または視聴中の番組情報を考慮して、前記複数の視聴者の中から特定の個人を選択する、請求項７または８に記載の映像処理方法。
【請求項１０】
時刻および／または番組情報と、選択すべきユーザの属性とを関連付けた視聴者選択用データベース、および、顔写真を属性の一つとして含むユーザ登録情報を、記憶部に予め保存しておき、
前記視聴者の個人を検出するステップでは、前記視聴者の顔情報を取得するとともに、前記顔情報とマッチングする前記顔写真を検索することによって、前記各視聴者の前記ユーザ登録情報を取得し、
前記個人を特定するステップでは、前記各視聴者の前記ユーザ登録情報のうち、前記属性の内容が、現在の時刻および／または視聴中の番組情報に関連付けられた前記選択すべきユーザの属性の内容と一致する前記ユーザ登録情報を探し、前記一致するユーザ登録情報の視聴者を選択することに前記個人を特定する、請求項７乃至９のいずれかに記載の映像処理方法。
【請求項１１】
視聴した日時および／または視聴した番組と、主たる視聴者とを関連付けた視聴履歴情報を作成し、前記視聴履歴情報に基づいて前記視聴者選択用データベースの前記選択すべきユーザの属性を更新するステップを備える、請求項１０に記載の映像処理方法。
【請求項１２】
前記主たる視聴者は、リモコンを操作している視聴者、または、前記複数の視聴者の中で最も視聴意欲が高いと思われる視聴者である、請求項１１に記載の映像処理方法。
【発明の詳細な説明】
【技術分野】
【０００１】
本発明の実施形態は、映像処理装置および映像処理方法に関する。
【背景技術】
【０００２】
近年、視聴者が特殊なメガネを使用せずに裸眼で立体映像を見ることができる立体映像表示装置（いわゆる裸眼３Ｄテレビ）が普及しつつある。この立体映像表示装置は、視点の異なる複数の画像を表示する。そして、それらの画像の光線は、例えばパララックスバリア、レンチキュラレンズなどによって出力方向を制御され、視聴者の両眼に導かれる。
視聴者の位置が適切であれば、視聴者は、左目と右目とで異なる視差画像を見ることになるため、映像を立体的に認識することができる。このように視聴者が立体映像を見ることの可能な領域を視域という。
【０００３】
この視域は制限された領域であり、視聴者が視域の外にいる場合、立体映像を見ることはできない。このため、立体映像表示装置は、視聴者の位置を検出し、視聴者が視域内に入るように視域を制御する機能を有する（フェイス・トラッキング機能）。
【０００４】
しかしながら、複数の視聴者が存在する場合、全ての視聴者が視域内に収まるとは限らない。
【先行技術文献】
【特許文献】
【０００５】
【特許文献１】特開２００７−９４０２２号公報
【発明の概要】
【発明が解決しようとする課題】
【０００６】
視聴者個人に応じた映像処理を可能な映像処理装置および映像処理方法を提供する。
【課題を解決するための手段】
【０００７】
実施形態によれば、映像処理装置は、撮影された映像から視聴者の個人および視聴者の人数を検出する、視聴者検出部と、前記視聴者が複数の場合、現在の時刻および／または視聴中の番組情報を考慮して、前記複数の視聴者の中から特定の個人を選択する、視聴者選択部と、前記選択された個人に応じた映像処理を行う映像処理部と、を備える。
【図面の簡単な説明】
【０００８】
【図１】一実施形態に係る映像処理装置１００の外観図である。
【図２】一実施形態に係る映像処理装置１００の概略構成を示すブロック図である。
【図３】液晶パネル１およびレンチキュラレンズ２の一部を上方から見た図である。
【図４】映像処理装置の視聴領域Ｐにおける複数の視域２１の一例を示す上面図である。
【図５】変形例に係る映像処理装置１００’の概略構成を示すブロック図である。
【図６】（ａ）は、ユーザ登録情報の一例を示す図であり、（ｂ）は視聴者選択用データベースの一例を示す図である。
【図７】視聴履歴情報の一例を示す図である。
【図８】一実施形態に係る映像処理方法を示すフローチャートである。
【図９】一実施形態に係る映像処理方法により設定された視域を示す上面図である。
【発明を実施するための形態】
【０００９】
以下、本発明に係る実施形態について、図面を参照しながら具体的に説明する。
【００１０】
図１は、一実施形態に係る映像処理装置１００の外観図であり、図２は、その概略構成を示すブロック図である。映像処理装置１００は、液晶パネル１と、レンチキュラレンズ２と、カメラ３と、受光部４と、コントローラ１０とを備えている。
【００１１】
液晶パネル（表示部）１は、視域内にいる視聴者が立体映像として観察可能な複数の視差画像を表示する。この液晶パネル１は、例えば５５インチサイズのパネルであり、水平方向に１１５２０（＝１２８０＊９）個、垂直方向に７２０個の画素が配置される。また、各画素内には、３つのサブピクセル、すなわち、Ｒサブピクセル、ＧサブピクセルおよびＢサブピクセルが垂直方向に形成されている。液晶パネル１には、背面に設けられるバックライト装置（不図示）から光が照射される。各画素はコントローラ１０から供給される視差画像信号（後述）に応じた輝度の光を透過させる。
【００１２】
レンチキュラレンズ（開口制御部）２は、液晶パネル１（表示部）に表示された複数の視差画像を所定の方向に出力する。このレンチキュラレンズ２は、液晶パネル１の水平方向に沿って配置される複数の凸部を有し、その数は液晶パネル１の水平方向画素数の１／９である。そして、水平方向に配置される９個の画素につき１つの凸部が対応するように、レンチキュラレンズ２は液晶パネル１の表面に貼り付けられている。各画素を透過した光は凸部の頂点付近から指向性を持って特定の方向へ出力される。
【００１３】
本実施形態の液晶パネル１は、３視差以上の多視差方式（インテグラルイメージング方式）または２視差方式で、立体映像を表示することができ、この他に通常の２次元映像も表示可能である。
【００１４】
以下の説明では、液晶パネル１の各凸部に対応して９個の画素を設けて、９視差の多視差方式を採用可能な例を説明する。多視差方式では、各凸部に対応する９個の画素にそれぞれ第１〜第９視差画像を表示する。第１〜第９視差画像とは、液晶パネル１の水平方向に沿って並ぶ９つの視点からそれぞれ被写体を見た画像である。視聴者は、レンチキュラレンズ２を介して、左目で第１〜第９視差画像のうちの１つの視差画像を、右目で他の１つの視差画像をそれぞれ見ることにより、映像を立体視できる。多視差方式によると、視差の数を増やすほど、視域を広げることができる。視域とは、液晶パネル１の前方から液晶パネル１を見たときに映像を立体視可能な領域をいう。
【００１５】
一方、２視差方式では、各凸部に対応する９個の画素のうちの４個に右目用視差画像を、他の５個に左目用視差画像をそれぞれ表示する。左目用および右目用視差画像とは、水平方向に並ぶ２つの視点のうち、左側の視点および右側の視点からそれぞれ被写体を見た画像である。視聴者は、レンチキュラレンズ２を介して、左目で左目用視差画像を、右目で右目用視差画像をそれぞれ見ることにより、映像を立体視できる。２視差方式によると、表示される映像の立体感が多視差方式よりも得られやすくなるが、多視差方式に比べて視域が狭くなる。
【００１６】
なお、液晶パネル１は各凸部に対応する９個の画素に同一の画像を表示して、２次元画像を表示することもできる。
【００１７】
また、本実施形態では、レンチキュラレンズ２の凸部と表示される視差画像との相対的な位置関係、すなわち、各凸部に対応する９個の画素にどのように視差画像を表示するか、に応じて、視域を可変制御できるようにしている。以下、多視差方式を例に取って、視域の制御について説明する。
【００１８】
図３は、液晶パネル１およびレンチキュラレンズ２の一部を上方から見た図である。同図の網掛けの領域が視域を示しており、視域から液晶パネル１を見ると映像を立体視できる。他の領域は逆視やクロストークが発生する領域であり、映像を立体視するのが困難な領域である。  
図３は、液晶パネル１とレンチキュラレンズ２との相対的な位置関係、より具体的には、液晶パネル１とレンチキュラレンズ２との距離、あるいは液晶パネル１とレンチキュラレンズ２との水平方向のずれ量によって、視域が変化する様子を示している。
【００１９】
実際には、レンチキュラレンズ２は、液晶パネル１に高精度に位置合わせをして貼り付けられるため、液晶パネル１とレンチキュラレンズ２との相対的な位置を物理的に変更することは困難である。
【００２０】
そこで、本実施形態では、液晶パネル１の各画素に表示される第１〜第９視差画像の表示位置をずらすことで、見かけ上、液晶パネル１とレンチキュラレンズ２との相対的な位置関係を変更し、これにより、視域の調整を行う。
【００２１】
例えば、各凸部に対応する９個の画素に第１〜第９視差画像をそれぞれ表示した場合（図３（ａ））に比べ、視差画像を全体に右側にずらして表示した場合（図３（ｂ））、視域は左側に移動する。逆に、視差画像を全体に左側にずらして表示した場合、視域は右側に移動する。
【００２２】
また、水平方向の中央付近では視差画像をずらさず、液晶パネル１の外側ほど、視差画像を外側に大きくずらして表示した場合（図３（ｃ））、視域は液晶パネル１に近づく方向に移動する。なお、ずらす視差画像とずらさない視差画像との間の画素や、ずらす量が異なる視差画像間の画素は、周囲の画素に応じて適宜補間すればよい。また、図３（ｃ）とは逆に、水平方向の中央付近では視差画像をずらさず、液晶パネル１の外側ほど、視差画像を中心側に大きくずらして表示した場合、視域は液晶パネル１から遠ざかる方向に移動する。
【００２３】
このように、視差画像の全体あるいは一部をずらして表示することにより、視域を液晶パネル１に対して左右方向あるいは前後方向に移動させることができる。図３では説明を簡略化するために視域を１つだけ示しているが、実際には、図４に示すように、複数の視域２１が視聴領域Ｐに存在し、これらは連動して移動する。視域は、後述する図２のコントローラ１０により制御される。なお、視域２１以外の視聴領域は、逆視やクロストーク等の発生により、良好な立体映像を見ることが困難な逆視領域２２である。
【００２４】
図１に戻り、映像処理装置１００の各構成要素について説明する。
【００２５】
カメラ３は、液晶パネル１の下部中央付近に、所定の仰角で取り付けられ、液晶パネル１の前方の所定の範囲を撮影する。撮影された映像はコントローラ１０に供給され、視聴者の位置や視聴者の顔等、視聴者に関する情報を検出するために用いられる。カメラ３は、動画像と静止画像のどちらを撮影してもよい。
【００２６】
受光部４は、例えば液晶パネル１の下部の左側に設けられる。そして、受光部４は視聴者が使用するリモコンから送信される赤外線信号を受信する。この赤外線信号は、立体映像を表示するか２次元映像を表示するか、立体映像を表示する場合に多視差方式および２視差方式のいずれを採用するか、視域の制御を行うか否か、等を示す信号を含む。
【００２７】
次に、コントローラ１０の構成要素の詳細について説明する。図２に示すように、コントローラ１０は、チューナデコーダ１１と、視差画像変換部１２と、視聴者検出部１３と、視域情報算出部１４と、画像調整部１５と、視聴者選択部１６と、記憶部１７と、データベース更新部１８とを有する。コントローラ１０は、例えば１つのＩＣ（Integrated Circuit）として実装され、液晶パネル１の裏側に配置される。もちろん、コントローラ１０の一部をソフトウェアで実装してもよい。
【００２８】
チューナデコーダ（受信部）１１は入力される放送波を受信および選局し、符号化された映像信号を復号する。放送波に電子番組表（ＥＰＧ）等のデータ放送の信号が重畳されている場合、チューナデコーダ１１はこれを抽出する。あるいは、チューナデコーダ１１は、放送波ではなく、光ディスク再生装置やパーソナルコンピュータ等の映像出力機器から符号化された映像信号を受信し、これを復号する。復号された信号はベースバンド映像信号とも呼ばれ、視差画像変換部１２に供給される。なお、映像処理装置１００が放送波を受信せず、専ら映像出力機器から受信する映像信号を表示する場合、チューナデコーダ１１に代えて単に復号機能を有するデコーダを受信部として設けてもよい。
【００２９】
チューナデコーダ１１が受信する映像信号は、２次元の映像信号であってもよいし、フレームパッキング（ＦＰ）、サイドバイサイド（ＳＢＳ）あるいはトップアンドボトム（ＴＡＢ）方式等で左目用および右目用の画像を含む３次元の映像信号であってもよい。また、映像信号は３視差以上の画像含む３次元の映像信号であってもよい。
【００３０】
視差画像変換部１２は、映像を立体表示するために、ベースバンド映像信号を複数の視差画像信号に変換して画像調整部１５に供給する。視差画像変換部１２は、多視差方式と２視差方式のどちらを採用するかで、処理内容が異なる。また、ベースバンド映像信号が２次元の映像信号であるか、３次元の映像信号であるか、に応じて、視差画像変換部１２の処理内容が異なる。
【００３１】
２視差方式を採用する場合、視差画像変換部１２は、左目用および右目用視差画像にそれぞれ対応する左目用および右目用視差画像信号を生成する。より具体的には以下のようにする。
【００３２】
２視差方式を採用し、かつ、左目用および右目用の画像を含む３次元映像信号が入力された場合、視差画像変換部１２は液晶パネル１に表示可能な形式の左目用および右目用視差画像信号を生成する。また、３つ以上の画像を含む３次元映像信号が入力される場合、例えばそのうちの任意の２つを用いて、視差画像変換部１２は左目用および右目用視差画像信号を生成する。
【００３３】
これに対し、２視差方式を採用し、かつ、視差情報を含まない２次元の映像信号が入力された場合、視差画像変換部１２は、映像信号における各画素の奥行き値に基づいて、左目用および右目用視差画像信号を生成する。奥行き値は、各画素がどの程度液晶パネル１に対して手前または奥に見えるように表示するか、を示す値である。奥行き値は予め映像信号に付加されていてもよいし、映像信号の特徴に基づいて動き検出、構図識別および人間の顔検出等を行って奥行き値を生成してもよい。左目用視差画像では、手前に見える画素は奥に見える画素より右側にずれて表示される必要がある。そのため、視差画像変換部１２は映像信号における手前に見える画素を右側にずらす処理を行って左目用視差画像信号を生成する。奥行き値が大きいほどずらす量を大きくする。
【００３４】
一方、多視差方式を採用する場合、視差画像変換部１２は第１〜第９視差画像にそれぞれ対応する第１〜第９視差画像信号を生成する。より具体的には以下のようにする。
【００３５】
多視差方式を採用し、かつ、２次元の映像信号または８視差以下の画像を含む３次元の映像信号が入力された場合、視差画像変換部１２は、２次元の映像信号から左目用および右目用視差画像信号を生成するのと同様に奥行き情報に基づいて、第１〜第９視差画像信号を生成する。
【００３６】
多視差方式を採用し、かつ、９視差の画像を含む３次元の映像信号が入力された場合、視差画像変換部１２はその映像信号を用いて第１〜第９視差画像信号を生成する。
【００３７】
視聴者検出部１３は、カメラ３により撮影された映像を用いて顔認識を行い、視聴者の情報（例えば、視聴者の顔情報、位置情報）を取得し、後述の視聴者選択部１６に供給する。  また、視聴者検出部１３は、視聴者が動いても追尾することが可能であるため、視聴者ごとの視聴時間を把握することもできる。
【００３８】
視聴者の位置情報は、例えば液晶パネル１の中央を原点とするＸ軸（水平方向）、Ｙ軸（垂直方向）およびＺ軸（液晶パネル１に対して直交する方向）上の位置として表される。図４に示す視聴者２０の位置は、座標（Ｘ１，Ｙ１，Ｚ１）で表される。より具体的には、視聴者検出部１３は、まず、カメラ３により撮影された映像から顔を検出することにより視聴者を認識する。次いで、視聴者検出部１３は映像における視聴者の位置からＸ軸およびＹ軸上の位置（Ｘ１，Ｙ１）を算出し、顔の大きさからＺ軸上の位置（Ｚ１）を算出する。視聴者が複数いる場合、視聴者検出部１３は、予め定めた数、例えば１０人分の視聴者を検出するようにしてもよい。この場合、検出された顔の数が１０より大きいときは、例えば液晶パネル１から近い、すなわち、Ｚ軸上の位置が小さい順に１０人の視聴者の位置を検出する。
【００３９】
視域情報算出部１４は、後述の視聴者選択部１６により選択された視聴者の位置情報を用いて、選択された視聴者を収める視域を設定するための制御パラメータを算出する。この制御パラメータは、例えば、図３で説明した視差画像をずらす量であり、１つのパラメータ、または複数のパラメータの組み合わせである。そして、視域情報算出部１４は、算出した制御パラメータを画像調整部１５に供給する。
【００４０】
より詳しくは、所望の視域を設定するために、視域情報算出部１４は、制御パラメータと、その制御パラメータで設定される視域とを対応付けた視域データベースを用いる。この視域データベースは記憶部１７に予め格納されている。視域情報算出部１４は、視域データベースを検索することによって、選択された視聴者を収めることの可能な視域を見つける。
【００４１】
画像調整部（視域制御部）１５は、視域を制御するために、算出された制御パラメータに応じて視差画像信号をずらしたり補間したりする調整を行った後に、液晶パネル１に供給する。液晶パネル１は調整された視差画像信号に対応する画像を表示する。
【００４２】
視聴者選択部１６は、複数の視聴者が存在する場合、現在時刻および／または視聴中の番組情報を考慮して、複数の視聴者の中から最も視聴意欲が高いと思われる視聴者を選択する。そして、視聴者選択部１６は、選択した視聴者の位置情報を視域情報算出部１４に供給する。
【００４３】
記憶部１７は、フラッシュメモリなどの不揮発性メモリであり、視域データベースの他、ユーザ登録情報および視聴者選択用データベース（いずれも後述）などを記憶する。なお、この記憶部１７は、コントローラ１０の外部に設けられてもよい。
【００４４】
ここで、映像処理装置１００のユーザに関する情報であるユーザ登録情報について説明する。ユーザ登録情報は、名前、年齢、続柄（父、母、子供など）、顔写真などの属性の情報を含み、ユーザごとに設定され、記憶部１７に保存される。属性とは、ユーザを特徴付ける特性のことである。図６（ａ）は、ユーザ登録情報の一例を示している。この例では、ユーザの属性は、名前、年齢、続柄および顔写真であり、属性“続柄”の内容は“父”である。
【００４５】
また、視聴者選択用データベースは、時刻および／または番組情報と、選択すべきユーザの属性とを関連付けたデータベースである。図６（ｂ）は、視聴者選択用データベースの一例を示している。この例では、時刻および番組情報と、選択すべきユーザの属性（続柄）とが関連付けられている。なお、視聴者選択用データベースは、時刻と、選択すべきユーザの属性とを関連付けてもよいし、あるいは、番組情報と、選択すべきユーザの属性とを関連付けてもよい。
【００４６】
視聴者選択用データベースは、ユーザが設定してもよいし、あるいは、後述のデータベース更新部１８によって視聴履歴に応じて自動的に更新されてもよい。また、視聴者選択用データベースでは、時刻に代えて、時間帯（例えば朝の時間帯として６時〜１２時）を用いてもよい。また、視聴者選択用データベースの番組情報は、図６（ｂ）のように番組のジャンルの他、具体的な番組名でもよい。
【００４７】
データベース更新部１８は、視聴した日時および／または視聴した番組と、主たる視聴者とを関連付けた視聴履歴情報を作成し、その視聴履歴情報に基づいて視聴者選択用データベースにおける選択すべきユーザの属性を更新する。ここで、主たる視聴者とは、視聴者が１人の場合はその視聴者であり、視聴者が複数の場合は視聴意欲が高いと思われる視聴者（例えば、リモコン等を操作して、自身が視域に入るように視域を調整した視聴者）である。図７は、データベース更新部１８により作成された視聴履歴情報の一例を示している。この例では、視聴日時および視聴番組と、主たる視聴者とが関連付けられている。
なお、視聴履歴情報は、視聴した日時と、主たる視聴者とを関連付けてもよいし、あるいは、視聴した番組情報と、主たる視聴者とを関連付けてもよい。
【００４８】
以上、映像処理装置１００の構成について説明した。本実施形態ではレンチキュラレンズ２を用い、視差画像をずらすことによって視域を制御する例を示したが、他の手法で視域を制御してもよい。例えば、レンチキュラレンズ２に代えてパララックスバリアを開口制御部２’として設けてもよい。図５は、図２に示す本実施形態の変形例である映像処理装置１００’の概略構成を示すブロック図である。同図に示すように、映像処理装置１００’のコントローラ１０’は、画像調整部１５の代わりに、視域制御部１５’を備える。
この視域制御部１５’は、視域情報算出部１４により算出された制御パラメータに応じて開口制御部２’を制御する。本変形例の場合、制御パラメータは、液晶パネル１と開口制御部２’との距離、液晶パネル１と開口制御部２’との水平方向のずれ量などである。
【００４９】
本変形例では、液晶パネル１に表示された視差画像の出力方向を、開口制御部２’で制御することによって、視域が制御される。このように、視差画像をずらす処理を行わず、視域制御部１５’により開口制御部２’を制御してもよい。
【００５０】
次に、上記のように構成された映像処理装置１００（１００’）による映像処理方法について、図８のフローチャートを用いて説明する。
【００５１】
（１）視聴者検出部１３は、カメラ３で撮影された映像から、視聴者の位置情報および顔情報を取得する。（ステップＳ１）。
（２）視聴者検出部１３は、取得した顔情報とマッチングするユーザ登録情報の顔写真を検索することによって、視聴者のユーザ登録情報を取得する（ステップＳ２）。その後、視聴者検出部１３は、視聴者の位置情報およびユーザ登録情報を視聴者選択部１６に供給する。
（３）視聴者選択部１６は、視聴者が複数の場合、現在の時刻および／または視聴中の番組情報を考慮して、視聴者の中から最も視聴意欲が高いと思われる視聴者を選択する（ステップＳ３）。視聴者を選択した後、視聴者選択部１６は、選択した視聴者の位置情報を視域情報算出部１４に供給する。
（４）視域情報算出部１４は、選択された視聴者（１人）を視域内に収める視域を設定するための制御パラメータを算出する（ステップＳ４）。
なお、視域情報算出部１４は、選択された視聴者を、最も高品位の立体映像が見える位置（例えば、視域の中心）に収める視域を設定するための制御パラメータを算出してもよい。
（５）画像調整部１５は、ステップＳ４において算出された制御パラメータを用いて画像（視差画像信号）を調整し、液晶パネル１に供給する（ステップＳ５）。
なお、変形例に係る映像処理装置１００’の場合には、視域制御部１５’が、ステップＳ４において算出された制御パラメータを用いて、開口制御部２’を制御する。
（６）液晶パネル１は、ステップＳ５において画像調整部１５により調整された画像を表示する（ステップＳ６）。
なお、変形例に係る映像処理装置１００’の場合には、液晶パネル１は、視差画像変換部１２から供給される画像を表示する。
【００５２】
次に、ステップＳ３の詳細を説明する。本実施形態では、視聴者選択部１６は、視聴者検出部１３から供給された各視聴者のユーザ登録情報のうち、属性の内容が、現在の時刻および／または視聴中の番組情報に関連付けられた選択すべきユーザの属性の内容と一致するユーザ登録情報を探す。なお、視聴中の番組情報は、放送波に重畳されている電子番組表（ＥＰＧ）から得ることが可能である。
【００５３】
例えば、現在の時刻が９時（朝）であり且つ視聴中の番組がニュースの場合、図６（ｂ）の視聴者選択用データベースによれば、選択すべきユーザの属性は父である。よって、この場合は、図６（ａ）に示すユーザ登録情報が検索の目的となるユーザ登録情報である。視聴者選択部１６は、視聴者検出部１３から供給された各視聴者のユーザ登録情報の中に、続柄が父であるユーザ登録情報が存在すれば、そのユーザ登録情報の視聴者（即ち、太郎）を選択する。
【００５４】
図９（ａ）は、父（Ｆ）が視域内に収まるように視域が制御された場合を示している。
同様に、図９（ｂ）は、現在の時刻が１５時（昼）であり且つ視聴中の番組がドラマの場合を示しており、母（Ｍ）が視域内に収まるように視域が制御されている。同様に、図９（ｃ）は、現在の時刻が１９時（夜）であり且つ視聴中の番組がアニメの場合を示しており、子供（Ｃ）が視域内に収まるように視域が制御されている。
【００５５】
上記のように、本実施形態では、視聴者選択部１６は、各視聴者のユーザ登録情報のうち、属性の内容が、現在の時刻および／または視聴中の番組情報に関連付けられた選択すべきユーザの属性の内容と一致するユーザ登録情報を探し、一致するユーザ登録情報の視聴者を選択する。即ち、視聴者選択部１６は、現在の時刻および／または視聴中の番組情報を把握して、視聴者選択用データベースの属性の内容に一致する属性を有するユーザ登録情報の視聴者を選択する。
【００５６】
以上説明したように、現在の時刻および／または視聴中の視聴番組に応じて複数の視聴者の中から視聴意欲が高いと思われる特定の視聴者を選択し、その視聴者を視域内に収める視域を設定する。これにより、本実施形態によれば、視聴意欲が高いと思われる視聴者が、高品位の立体映像を見ることが可能になる。
【００５７】
さらに、本実施形態では、視聴履歴情報に基づいて視聴者選択用データベースを更新するデータベース更新部１８を備える。これにより、視聴履歴を反映して視聴者を選択することが可能になるため、視聴者選択の精度を高めることができる。加えて、ユーザによる視聴者選択用データベースの更新作業が不要となるので、より使いやすい映像処理装置を提供することができる。
【００５８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５９】
１  液晶パネル
２  レンチキュラレンズ
２’  開口制御部
３  カメラ
４  受光部
１０，１０’  コントローラ
１１  チューナデコーダ
１２  視差画像変換部
１３  視聴者検出部
１４  視域情報算出部
１５  画像調整部
１５’  視域制御部
１６  視聴者選択部
１７  記憶部
１８  データベース更新部
２０  視聴者
２１  視域
２２  逆視領域
１００，１００’  映像処理装置
Ｐ  視聴領域
【図１】
2013055641.tif 000003
【図２】
2013055641.tif 000004
【図３】
2013055641.tif 000005
【図４】
2013055641.tif 000006
【図５】
2013055641.tif 000007
【図６】
2013055641.tif 000008
【図７】
2013055641.tif 000009
【図８】
2013055641.tif 000010
【図９】
2013055641.tif 000011